【事件の表示】
　特願２０１７−２０９２０６「光バルブを備えた液晶表示装置」拒絶査定不服審判事件〔平成３０年　５月１０日出願公開、特開２０１８−　７２８３９〕について、次のとおり審決する。
【結　論】
　本件審判の請求は、成り立たない。
【理　由】
第１　手続の経緯 
　本願は、平成２９年１０月３０日（パリ条約による優先権主張２０１６年１０月３１日、大韓民国）の出願であって、その手続の概要は、以下のとおりである。
　平成３０年　９月　３日付け：拒絶理由の通知 
　平成３０年１２月１０日　　：意見書、手続補正書の提出 
　平成３１年　４月　１日付け：拒絶査定 （同年同月９日謄本送達）
　令和　元年　８月　９日　　：審判請求書、手続補正書の提出 
　令和　元年　８月２６日　　：審判請求書の手続補正書（方式）の提出
　令和　２年　４月　３日付け：拒絶理由の通知 
　令和　２年　７月　６日　　：意見書、手続補正書の提出 
第２　本願発明 
　本願の請求項１ないし７に係る発明は、令和２年７月６日付けの手続補正により補正された特許請求の範囲の請求項１ないし７に記載された事項により特定されるところ、その請求項１に係る発明（以下「本願発明」という。）は、以下のとおりのものである。 
「【請求項１】
　バックライトユニットと、
　前記バックライトユニットの前面に配置され、複数の第１の単位画素領域を備えた光バルブパネルと、
　前記光バルブパネルの前面に配置され、複数の第２の単位画素領域を備えた画像情報パネルを含み、
　前記第１の単位画素領域の辺と、前記第２の単位画素領域の辺が、互いに平行にならないように交錯配置されて、前記第１の単位画素領域と前記第２の単位画素領域が重畳し、
　前記第２の単位画素領域は、正方形形状を有し、
　前記第１の単位画素領域は、前記第２の単位画素領域の正方形形状を４５度回転させた菱形形状を有し、
　前記第１の単位画素領域と前記第２の単位画素領域との重畳形状が不規則性を有するように、前記第１の単位画素領域の前記菱形形状の頂点が前記第２の単位画素領域の前記正方形形状の辺に対してずらされるように配置され、
　前記第１の単位画素領域の前記菱形形状の頂点にあって、ゲート電極と、ソース電極と、ドレイン電極とを有する薄膜トランジスタを含み、前記ソース電極はＥ字形状を有し、前記ドレイン電極は逆Ｃ字形状を有する、液晶表示装置。」
第３　拒絶の理由 
　令和２年４月３日付けで当審が通知した請求項１、２に係る発明に対する進歩性の拒絶の理由の概要は、本件出願の請求項１、２に係る発明は、その優先日前日本国内または外国において頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない、というものである。 
　　　　　　　　　　　　　　　　記
引用文献１．特開２００７−３１０３７６号公報
引用文献２．特開２０１６−１３３６３３号公報（周知技術を示す文献）
引用文献３．特開２００８−１１６４８５号公報（周知技術を示す文献）
引用文献４．特開２００９−４２６３０号公報（周知技術を示す文献）
第４　引用文献について 
１　引用文献１の記載
　引用文献１には、以下の事項が記載されている（下線は、当審で付した。以下同様。）。 
（１）「【請求項５】
　それぞれが一対の透明基板に挟まれた液晶層を有する
第１の液晶表示素子と第２の液晶表示素子とが、双方の液晶表示素子の各画素表示領域が互いに対応して配置される
　
前記第１及び第２の液晶表示素子のそれぞれは、各画素表示領域内の電極が少なくとも１つの屈曲部を形成しており、前記第２の液晶表示素子の屈曲部は、前記第１の液晶表示素子の屈曲部との間で平行な部分がなくなるように、前記第１の液晶表示素子の屈曲部を所定角度回転させた向きに配置
液晶表示装置
【請求項６】
　
前記所定角度が、０°より大きく１８０°より小さい
（２）「【０００７】
　積層された複数の液晶表示素子を有する液晶表示素子において、各液晶表示素子を同一信号で駆動すると、プロジェクタのような、光が液晶パネルのパネル面にほぼ垂直な方向に通過させ、スクリーンに投影するタイプの液晶表示装置では特に問題はないが、直視型液晶表示装置のバックライトのように、拡散光を光源として用いるタイプでは、積層された複数の液晶パネル間の離隔距離によって視差が生じ、見る角度によって下層側の液晶パネルである画素を通過した光が、上層側の液晶パネルの対応する画素を通過しないとう問題が発生する。このため、液晶表示装置を斜めから見ると、視差によって、複数の液晶パネルで見ている位置が異なり、特に画像のエッジ部分など、急激に輝度が変化する部分が二重に見えて、違和感が生じるという問題がある。
【０００８】
　図２３（ａ）〜（ｃ）は、積層された液晶パネルでの画素の重なり状態を示しており、（ａ）は、液晶パネルの中央から向かって左側の画素を観察した状態を、（ｂ）は中央正面からその直下の画素を観察した状態を、（ｃ）は、中央から向かって右側の画素を観察した状態を示している。ここでは、２つの液晶パネルが積層されている場合を考える。同図（ｂ）に示すように、正面中央では、積層された２つの液晶パネルの各画素の位置は一致しており、特に問題はない。しかし、（ａ）、（ｃ）に示すように、左側及び右側を見た場合には、２つの液晶パネル間で画素が位置ずれを起こし、輝度低下が観察される。また、その際、画素の位置ズレによる輝度低下で暗くなる部分と、明るい部分とが周期的に並び、上下の液晶パネル内の配線又はブラックマトリクス同士が干渉しあうことで、モアレのような干渉縞が観察され、表示品位が低下するという問題もある。
【０００９】
　本発明は、上記従来技術の問題点を解消し、積層された液晶表示素子を有する液晶表示装置で、積層された液晶表示素子間で発生する干渉による表示不具合を解消できる液晶表示装置を提供することを目的とする。」
（３）「【００１６】
　本発明の第２の視点の液晶表示装置では、第１及び第２の液晶表示素子の各画素は屈曲部を有しており、第２の液晶表示素子の屈曲部を、第１の液晶表示素子の屈曲部との間で平行な部分がなくなるように、第１の液晶表示素子の屈曲部を所定角度回転させた向きとする。このようにすることで、正面から見た際の第１及び第２の液晶表示素子における各画素の重なり具合と、斜めから見た際の第１及び第２の液晶表示素子における各画素の重なり具合との変化を少なくすることができ、正面視野と斜め視野とにおける表示輝度の差を小さくできる。また、
第１の液晶表示素子の画素と、第２の液晶表示素子の画素とで、相互に平行する部分を排することで、斜めから観察した際の暗くなる部分と明るい部分との周期性を緩和することができ、モアレ現象による干渉縞の問題を解消できる。
【００１７】
　本発明の第２の視点の液晶表示装置では、
前記所定角度が、０°より大きく１８０°より小さい構成を採用できる
（４）「【００３９】
　本発明の液晶表示装置では、各液晶表示素子は、ｘ方向の電極とｙ方向の電極と共通電極とを有し、前記ｘ方向の電極と前記ｙ方向の電極とが交差する点に画素電極が形成され、前記ｘ方向の電極と前記ｙ方向の電極と画素電極との間には、
３端子からなる薄膜トランジスタ（ＴＦＴ）
が配置され
（５）「【００８１】
　図１６は、本発明の第２実施形態の液晶表示装置の断面構造を示している。本実施形態の
液晶表示装置１０ａ
第１及び第２の液晶表示素子１１、１２の画素構造（形状）によって、斜め視野から見た際の干渉によるモアレ現象を解消する。
【００８２】
　図１７は、積層された液晶表示素子における１画素の平面構造を示している。同図は、例えば
第１の液晶表示素子１１内の１画素
その交点付近に、
トランジスタ２４を有する
画素電極櫛歯２５は、トランジスタ２４を介してデータ線２２に接続される。
【００８３】
　画素電極櫛歯２５、共通電極櫛歯２６、及び、表層共通電極２７は、方向３０２内で、１箇所だけ屈折した部分を有する。具体的には、画素電極櫛歯２５、共通電極櫛歯２６、及び、表層共通電極２７は、紙面上側では、方向３０２に対して−１５°（１６５°）の角度で傾斜し、下側では、方向３０２に対して＋１５°の角度で傾斜しており、画素表示領域内の方向３０２の中央部分で屈折している。この場合、画素形状は、屈折部分を有する形状となる。図１７では、屈折部分（屈曲部）を１箇所としているが、この屈折部は、複数であってもよい。
【００８４】
　第２の液晶表示素子１２についても、画素電極櫛歯、共通電極櫛歯、及び、表層共通電極を屈折させ、画素形状を屈折させる。このとき、第１の液晶表示素子１１と第２の液晶表示素子１２とで、屈折の方向を９０°回転させる。例えば、第１の液晶表示素子１１が、図１７に示すように、方向３０２内で１回屈折した画素形状を有する場合には、第２の液晶表示素子１２では、画素電極櫛歯、共通電極櫛歯、及び、表層共通電極を、方向３０１内で屈折させ、画素形状を、画素表示領域の方向３０１に中央部分で屈折させる。
【００８５】
　
図１８（ａ）〜（ｃ）は、積層された液晶表示素子での画素の重なり状態を示しており、
（ｂ）は中央正面からその直下の画素を観察した状態を
示している。
【００８６】
　
液晶表示装置１０ａを素子垂直方向から観察した場合には、図１８（ｂ）に示すように、第１の液晶表示素子１１の画素４１と、第２の液晶表示素子１２の画素４２とは、ほぼ同じ位置で重なり合う。
（６）「【００９１】
　なお、上記実施形態では、積層される液晶表示素子がＩＰＳ方式の液晶表示素子である例を用いて説明したが、液晶表示素子は、ＩＰＳ方式には限定されない。積層される液晶表示素子は、ＴＮ方式やＶＡ方式の液晶表示素子であってもよい。これらの方式でも、積層される液晶表示素子の間に光拡散層１４（図１）を挿入することにより、或いは、屈折を有する画素を、９０°回転させて重ねた構造を採用することで、正面視野と斜め視野とでの輝度の差を抑制でき、かつ、モアレの発生を防止することができる。第２実施形態では、画素の回転角を９０°としたが、上側の液晶表示素子の画素と、下側の液晶表示装置の画素との間に平行な成分がなければよいため、回転角は、９０°には限定されず、０°〜１８０°の範囲の任意の角度、例えば９０°付近の角度を採用することができる。」
（７）図１６の記載から、バックライト光源１３と、バックライト光源の前面に配置された第１の液晶表示素子１１と、第１の液晶表示素子１１の前面に配置された第２の液晶表示素子１２とを含む液晶表示装置１０ａが、見て取れる。
（８）上記（５）を踏まえて、図１７を見ると、図１７の記載から、第１の液晶表示素子１１の１画素の頂点付近にトランジスタ２４を有することが、見て取れる。
（９）上記（５）を踏まえて、図１８（ｂ）を見ると、図１８（ｂ）の記載から、積層された液晶表示素子を中央正面からその直下の画素を観察した状態において、第１の液晶表示素子１１の画素４１の頂点が第２の液晶表示素子１２の画素４２の辺及び頂点に対して重ならないように規則性がなく重なり合うことが、見て取れる。
２　したがって、引用文献１には、次の発明（以下「引用発明」という。）が記載されているものと認められる。
「バックライト光源と、
　バックライト光源の前面に配置され、各画素表示領域が配置された第１の液晶表示素子と、
　第１の液晶表示素子の前面に配置され、各画素表示領域が配置された第２の液晶表示素子とを含み、
　前記第１及び第２の液晶表示素子のそれぞれは、各画素表示領域内の電極が少なくとも１つの屈曲部を形成しており、前記第２の液晶表示素子の屈曲部は、前記第１の液晶表示素子の屈曲部との間で平行な部分がなくなるように、前記第１の液晶表示素子の屈曲部を０°より大きく１８０°より小さい所定角度回転させた向きに配置され、
　積層された液晶表示素子を中央正面からその直下の画素を観察した状態において、第１の液晶表示素子の画素４１の頂点が第２の液晶表示素子の画素４２の辺及び頂点に対して重ならないように規則性がなく重なり合い、　
　第１の液晶表示素子の画素４１と、第２の液晶表示素子の画素４２とで、相互に平行する部分を排することで、斜めから観察した際の暗くなる部分と明るい部分との周期性を緩和することができ、モアレ現象による干渉縞の問題を解消でき、
　第１の液晶表示素子の１画素の頂点付近に３端子からなる薄膜トランジスタ（ＴＦＴ）を有する、
　液晶表示装置。」
第５　対比 
１　本願発明と引用発明を対比する。 
（１）引用発明の「バックライト光源」は、本願発明の「バックライトユニット」に、
　引用発明の「バックライト光源の前面に配置され、各画素表示領域が配置された第１の液晶表示素子」は、本願発明の「前記バックライトユニットの前面に配置され、複数の第１の単位画素領域を備えた光バルブパネル」に、
　引用発明の「第１の液晶表示素子の前面に配置され、各画素表示領域が配置された第２の液晶表示素子」は、本願発明の「前記光バルブパネルの前面に配置され、複数の第２の単位画素領域を備えた画像情報パネル」に、
　引用発明の「『積層された液晶表示素子』について、『第１の液晶表示素子の画素４１と、第２の液晶表示素子の画素４２とで、相互に平行する部分を排することで、斜めから観察した際の暗くなる部分と明るい部分との周期性を緩和することができ、モアレ現象による干渉縞の問題を解消でき』ること」は、本願発明の「前記第１の単位画素領域の辺と、前記第２の単位画素領域の辺が、互いに平行にならないように交錯配置されて、前記第１の単位画素領域と前記第２の単位画素領域が重畳し」に、
　引用発明の「液晶表示装置」は、本願発明の「液晶表示装置」に、
それぞれ相当する。 
（２）引用発明の「積層された液晶表示素子を中央正面からその直下の画素を観察した状態において、第１の液晶表示素子の画素４１の頂点が第２の液晶表示素子の画素４２の辺及び頂点に対して重ならないように規則性がなく重なり合い」と、本願発明の「前記第１の単位画素領域と前記第２の単位画素領域との重畳形状が不規則性を有するように、前記第１の単位画素領域の前記菱形形状の頂点が前記第２の単位画素領域の前記正方形形状の辺に対してずらされるように配置され」は、「『前記第１の単位画素領域と前記第２の単位画素領域との重畳形状が不規則性を有するように、前記第１の単位画素領域の』『頂点が前記第２の単位画素領域の』『辺に対してずらされるように配置され』」の点で一致する。 
（３）引用発明の「第１の液晶表示素子の１画素の頂点付近に３端子からなる薄膜トランジスタ（ＴＦＴ）を有する」と、本願発明の「前記第１の単位画素領域の前記菱形形状の頂点にあって、ゲート電極と、ソース電極と、ドレイン電極とを有する薄膜トランジスタを含み」は、「『前記第１の単位画素領域の』『頂点にあって、ゲート電極と、ソース電極と、ドレイン電極とを有する薄膜トランジスタを含み』」の点で一致する。 
２　以上のことから、本願発明と引用発明との一致点及び相違点は、次のとおりである。
【一致点】
「バックライトユニットと、
　前記バックライトユニットの前面に配置され、複数の第１の単位画素領域を備えた光バルブパネルと、
　前記光バルブパネルの前面に配置され、複数の第２の単位画素領域を備えた画像情報パネルを含み、
　前記第１の単位画素領域の辺と、前記第２の単位画素領域の辺が、互いに平行にならないように交錯配置されて、前記第１の単位画素領域と前記第２の単位画素領域が重畳し、
　前記第１の単位画素領域と前記第２の単位画素領域との重畳形状が不規則性を有するように、前記第１の単位画素領域の頂点が前記第２の単位画素領域の辺に対してずらされるように配置され、
　前記第１の単位画素領域の頂点にあって、ゲート電極と、ソース電極と、ドレイン電極とを有する薄膜トランジスタを含む、液晶表示装置。」
【相違点１】
　第１の単位画素領域及び第２の単位画素領域について、本願発明は「前記第２の単位画素領域は、正方形形状を有し、前記第１の単位画素領域は、前記第２の単位画素領域の正方形形状を４５度回転させた菱形形状を有し、」「前記第１の単位画素領域の前記菱形形状の頂点が前記第２の単位画素領域の前記正方形形状の辺に対してずらされるように配置され」るのに対し、引用発明は「前記第１及び第２の液晶表示素子のそれぞれは、各画素表示領域内の電極が少なくとも１つの屈曲部を形成しており、前記第２の液晶表示素子の屈曲部は、前記第１の液晶表示素子の屈曲部との間で平行な部分がなくなるように、前記第１の液晶表示素子の屈曲部を０°より大きく１８０°より小さい所定角度回転させた向きに配置され、積層された液晶表示素子を中央正面からその直下の画素を観察した状態において、第１の液晶表示素子の画素４１の頂点が第２の液晶表示素子の画素４２の辺及び頂点に対して重ならないように規則性がなく重なり合」う点。
【相違点２】
　薄膜トランジスタについて、本願発明は「第１の単位画素領域の前記菱形形状の頂点にあって、」「前記ソース電極はＥ字形状を有し、前記ドレイン電極は逆Ｃ字形状を有する」のに対し、引用発明は「第１の液晶表示素子の１画素の頂点付近」にあり、ソース電極及びドレイン電極の形状が明らかでない点。
第６　判断
１　相違点１について
（１）液晶表示装置に関し、各表示画素の表示領域を正方形形状とすることは、周知技術（必要ならば、引用文献２（特に、図２参照。）、引用文献３（特に、【００４６】、図６参照。）、引用文献４（特に、【００４５】、図９参照。）を参照されたい。）である。
（２）引用文献１の液晶表示素子は、上記第４の１（６）に「ＩＰＳ方式には限定されない。積層される液晶表示素子は、ＴＮ方式やＶＡ方式の液晶表示素子であってもよい。」と摘記したように、各種方式の液晶表示素子に適用できることが示唆されている。
　そして、引用文献１と周知技術はともに液晶表示装置に関するものであり、そうすると、引用発明の第１の液晶表示素子の画素４１の領域の形状および第２の液晶表示素子の画素４２の領域の形状に、上記周知技術の一般的な形状を適用することは、当業者が適宜なし得た事項にすぎない。
（３）ここで、引用発明は「前記第１の液晶表示素子の屈曲部を０°より大きく１８０°より小さい所定角度回転させた向きに配置され、第１の液晶表示素子の画素と、第２の液晶表示素子の画素とで、相互に平行する部分を排することで、斜めから観察した際の暗くなる部分と明るい部分との周期性を緩和することができ、モアレ現象による干渉縞の問題を解消でき」と特定されていることから、引用発明の第１の液晶表示素子の画素４１の領域の形状および第２の液晶表示素子の画素４２の領域の形状を、正方形形状とする上記周知技術を適用する場合にも、第１の液晶表示素子を所定角度回転させ、第１の液晶表示素子の画素４１と、第２の液晶表示素子の画素４２とで、相互に平行する部分を排することで、モアレ現象による干渉縞の問題を解消できるようにすると解される。
　その場合に、引用発明は「０°より大きく１８０°より小さい所定角度回転させた向きに配置され」と特定されているので、所定角度として「４５°」は、当業者が適宜選択する事項にすぎない。
（４）以上より、引用発明に上記（３）を考慮して上記周知技術を適用し、第２の液晶表示素子の画素４２の領域は、正方形形状を有し、第１の液晶表示素子の画素４１の領域は、第２の液晶表示素子の画素４２の領域の正方形形状に対して４５°角度回転させた向きに配置した正方形形状を有し、積層された液晶表示素子を中央正面からその直下の画素を観察した状態において、第１の液晶表示素子の当該角度回転させた向きに配置した正方形形状の画素４１の頂点が第２の液晶表示素子の正方形状の画素４２の辺及び頂点に対して重ならないように規則性がなく重なり合うようにすること、つまり、相違点１に係る本願発明の構成にすることは、当業者が適宜なし得た事項にすぎない。
２　相違点２について
（１）引用発明に上記１（３）を考慮して上記１（２）の周知技術を適用し、「第１の液晶表示素子の１画素の頂点付近」を「第２の液晶表示素子の画素４２の領域の正方形形状に対して４５°角度回転させた向きに配置した正方形形状の第１の液晶表示素子の１画素の頂点付近」とすることは、当業者が適宜なし得た事項にすぎない。
（２）また、液晶表示装置に関し、薄膜トランジスタのソース電極はＥ字形状を有し、薄膜トランジスタのドレイン電極は逆Ｃ字形状を有するようになすことは、周知技術（必要ならば、国際公開第２０１１／１４２２６５号（特に、［0002］、[0085]-[0087]、図１０Ｆ、図１０Ｇ、図１０Ｈ参照。）、特開２０１０−３７２３号公報（特に、【０００２】、【０００５】、【００２７】、図１、図１３参照。）を参照されたい。）である。
ア　国際公開第２０１１／１４２２６５号
図１０Ｆ、図１０Ｇ、図１０Ｈ　【符号の説明】１０６・・・ソース電極、１０７・・・ドレイン電極
イ　特開２０１０−３７２３号公報
図１３　【符号の説明】５４・・・ソース電極、５６・・・ドレイン電極
図１　【符号の説明】５・・・ソース電極、７・・・ドレイン電極
（３）そして、引用文献１と周知技術はともに液晶表示装置に関するものであり、そうすると、引用発明の３端子からなる薄膜トランジスタに、上記２（２）の周知技術のソース電極はＥ字形状、ドレイン電極は逆Ｃ字形状を適用することは、当業者が適宜なし得た事項にすぎない。
（４）以上より、引用発明に上記周知技術を適用し、相違点２に係る本願発明の構成にすることは、当業者が適宜なし得た事項にすぎない。
３　したがって、本願発明は、引用発明及び周知技術に基づいて、当業者が容易に発明をすることができたものであるから、特許法第２９条第２項の規定により特許を受けることができない。
４　効果について 
　そして、相違点を総合的に勘案しても、本願発明の奏する作用効果は、引用発明及び周知技術の奏する作用効果から予測される範囲内のものにすぎず、格別顕著なものということはできない。 
５　まとめ 
　以上のとおりであるから、引用発明に上記周知技術を適用して、相違点に係る本願発明の構成とすることは、当業者が容易に想到し得たことである。
第７　審判請求人の主張について 
　審判請求人は、令和２年７月６日付けの意見書において、「それに対して、引用文献１の図１７では、ＴＦＴ２４は信号線２１とデータ線２２の交差部付近にあるということを示すのみであり、Ｅ字型のソース電極や逆Ｃ字型のドレイン電極を示しておりません。」旨主張している。 
　しかしながら、Ｅ字型のソース電極や逆Ｃ字型のドレイン電極については、上記第６の２で検討したとおりである。
　以上のとおりであるから、審判請求人の主張を採用することはできない。
第８　むすび 
　以上のとおり、本願発明は、特許法第２９条第２項の規定により特許を受けることができないから、他の請求項に係る発明について検討するまでもなく、本願は拒絶すべきものである。 
　よって、結論のとおり審決する。